(57)【要約】      （修正有）【課題】跳ね上げ型の椅子において、渦巻状ばねを容易に追加できるようにする。【解決手段】椅子の座３の左右側方にそれぞれ位置するように椅子の脚５に固定されて二個の座ブラケット７の座支持軸６をそれぞれ回動可能に支持する二個の軸支持部材８と、それらの軸支持部材８の少なくとも一方に設けられて座３を起立位置へ向けて常時附勢するように座支持軸６を回動附勢する渦巻状ばね１０とを具え、二本の座支持軸６にそれぞれ十字状スリット６ａが設けられ、二個の軸支持部材８の、座支持軸６の周囲の位置にそれぞれ収容部８ｂおよび掛合溝８ｃが設けられ、二個の軸支持部材８の少なくとも一方の収容部８ｂに渦巻状ばね１０が収容されて、その渦巻状ばね１０の内側端部１０ａが座支持軸６の十字状スリット６ａに掛合するとともにその渦巻状ばね１０の外側端部１０ｂが軸支持部材８の掛合溝８ｃに掛合している、椅子用座起立機構１である。【選択図】図１
2007229404.tif 000002
【特許請求の範囲】
【請求項１】
椅子の座を着座位置と起立位置との間で揺動可能に支持するとともに前記座を前記起立位置へ向けて常時附勢する椅子用座起立機構において、
前記座の左右側部にそれぞれ固定されて各々座支持軸を固定支持し、その座支持軸を前記座の左右方向へ延在する同一中心軸線上で前記座の左右側方に突出させる二個の座ブラケットと、
前記座の左右側方にそれぞれ位置するように前記椅子の脚に固定されて前記二個の座ブラケットの前記座支持軸をそれぞれ回動可能に支持する二個の軸支持部材と、
前記二個の軸支持部材の少なくとも一方に設けられて前記座を前記起立位置へ向けて常時附勢するように前記座支持軸を回動附勢する渦巻状ばねと、を具え、
前記二個の座ブラケットの前記座支持軸にそれぞれ第１の掛合部が設けられ、
前記二個の軸支持部材の、その軸支持部材が支持する前記座支持軸の周囲の位置にそれぞれ収容部および第２の掛合部が設けられ、
前記二個の軸支持部材の少なくとも一方の前記収容部に前記渦巻状ばねが収容されて、その渦巻状ばねの一端部が前記座支持軸の前記第１の掛合部に掛合するとともにその渦巻状ばねの他端部が前記軸支持部材の前記第２の掛合部に掛合していることを特徴とする、椅子用座起立機構。
【請求項２】
前記二個の軸支持部材の一方の前記収容部に前記渦巻状ばねが収容されて、その渦巻状ばねの一端部が前記座支持軸の前記第１の掛合部に掛合するとともにその渦巻状ばねの他端部が前記軸支持部材の前記第２の掛合部に掛合し、
前記二個の軸支持部材の他方の前記収容部にロータリダンパが収容されて、そのロータリダンパの回動部が前記座支持軸の前記第１の掛合部に掛合するとともにそのそのロータリダンパの固定部が前記軸支持部材の前記第２の掛合部に掛合していることを特徴とする、請求項１記載の椅子用座起立機構。
【請求項３】
前記二個の軸支持部材はそれぞれ、その軸支持部材が支持する前記座支持軸を持つ前記座ブラケットに向く面に弾性部材を固設され、
前記二個の座ブラケットはそれぞれ、その座ブラケットが固定支持する前記座支持軸の近傍にその座支持軸と並べてストッパピンを固定支持し、そのストッパピンを、前記座が前記着座位置と前記起立位置とに位置する際に前記弾性部材に当接するように前記座の側方に突出させていることを特徴とする、請求項１または２記載の椅子用座起立機構。
【請求項４】
前記二個の座ブラケットは、前記座の左右方向の中心でその座の前後方向に延在する中心線に関し左右対称の形状を有し、
前記二個の軸支持部材も、前記中心線に関し左右対称の形状を有することを特徴とする、請求項１から３までの何れか記載の椅子用座起立機構。
【発明の詳細な説明】
【技術分野】
【０００１】
この発明は、椅子の座を着座位置と起立位置との間で揺動可能に支持するとともにその座を起立位置へ向けて常時附勢する椅子用座起立機構に関するものである。
【背景技術】
【０００２】
例えば劇場や公共ホール等では、観客やホール利用者等の出入りの容易化および火災等の際の避難路の確保を目的として、備え付けの椅子の座を座起立機構によって略水平な着座位置と略垂直な起立位置との間で揺動可能に支持するとともにその起立位置へ向けて常時附勢することで、人が着座していないときは座を起立位置に上げて前の列の椅子との間に横方向の通路を確保するのが一般的である。
【０００３】
このような椅子用の座起立機構としては従来、例えば、座の左右側部にそれぞれ固定されて、座の左右方向へ延在する共通の座支持軸をそれぞれ回動可能に支持し、その座支持軸を座の左右側方に突出させる二個の座ブラケットと、座の左右側方にそれぞれ位置するように椅子の脚に固定されて、二個の座ブラケットから突出する座支持軸をそれぞれ固定支持する二個の軸支持部材と、二個の座ブラケットの一方と座支持軸との間に介装されて座の一方の側部に位置し、座を起立位置へ向けて常時附勢するばねと、それら二個の座ブラケットの他方と座支持軸との間に介装されて座の他方の側部に位置し、座の着座位置と起立位置との間での揺動を制動することで座の動きを穏やかにしてコンサートホール等での離座時の衝撃音をなくすとともに高級感を醸し出すロータリダンパとを具えたものが知られている（特許文献１参照）。
【特許文献１】特許２９５４９２４
【発明の開示】
【発明が解決しようとする課題】
【０００４】
しかしながら、かかる従来の椅子用座起立機構では、例えば座をより厚くて快適だが重いものに変更した場合に、座の一方の側部に設けられたばねの附勢力が不足して座を持ち上げられない場合があり、この場合に、座の他方の側部にはロータリダンパが設けられているため、そこにばねを追加するのは大掛かりな設計変更が必要となって容易でないという問題があった。
【０００５】
また、従来の椅子用座起立機構では、ストッパ部を座支持軸から離して設けていたため、軸支持部材が大型化するという問題もあった。
【課題を解決するための手段】
【０００６】
この発明は、上記課題を有利に解決することを目的とするものであり、この発明の椅子用座起立機構は、椅子の座を着座位置と起立位置との間で揺動可能に支持するとともに前記座を前記起立位置へ向けて常時附勢する椅子用座起立機構において、前記座の左右側部にそれぞれ固定されて各々座支持軸を固定支持し、その座支持軸を前記座の左右方向へ延在する同一中心軸線上で前記座の左右側方に突出させる二個の座ブラケットと、前記座の左右側方にそれぞれ位置するように前記椅子の脚に固定されて前記二個の座ブラケットの前記座支持軸をそれぞれ回動可能に支持する二個の軸支持部材と、前記二個の軸支持部材の少なくとも一方に設けられて前記座を前記起立位置へ向けて常時附勢するように前記座支持軸を回動附勢する渦巻状ばねと、を具え、前記二個の座ブラケットの前記座支持軸にそれぞれ第１の掛合部が設けられ、前記二個の軸支持部材の、その軸支持部材が支持する前記座支持軸の周囲の位置にそれぞれ収容部および第２の掛合部が設けられ、前記二個の軸支持部材の少なくとも一方の前記収容部に前記渦巻状ばねが収容されて、その渦巻状ばねの一端部が前記座支持軸の前記第１の掛合部に掛合するとともにその渦巻状ばねの他端部が前記軸支持部材の前記第２の掛合部に掛合していることを特徴とするものである。
【発明の効果】
【０００７】
かかるこの発明の椅子用座起立機構によれば、椅子の座の左右側部にそれぞれ固定された二個の座ブラケットが同一中心軸線上で固定支持する座支持軸を、椅子の脚に固定された二個の軸支持部材が回動可能に支持し、二個の軸支持部材の少なくとも一方に設けられた渦巻状ばねが座を起立位置へ向けて常時附勢するように座支持軸を回動附勢するので、人が着座していないときは椅子の座を自動的に起立位置に回動させておくことができる。
【０００８】
しかもこの発明の椅子用座起立機構によれば、座支持軸が第１の掛合部を有するとともに軸支持部材が第２の掛合部を有していることから、二個の軸支持部材の一方の収容部に渦巻状ばねが収容されて、その渦巻状ばねの一端部が座支持軸の第１の掛合部に掛合するとともにその渦巻状ばねの他端部が軸支持部材の第２の掛合部に掛合している状態では座を起立位置に回動させる附勢力が不足する場合に、二個の軸支持部材の他方の収容部にも同様に渦巻状ばねを収容してその渦巻状ばねの一端部が座支持軸の第１の掛合部に掛合するとともにその渦巻状ばねの他端部が軸支持部材の第２の掛合部に掛合するようにするだけで容易に附勢力を増強し得て、より厚くて快適であるものの重い座を用いる場合でもその座を確実に起立位置に回動させることができる。
【０００９】
なお、この発明においては、前記二個の軸支持部材の一方の前記収容部に前記渦巻状ばねが収容されて、その渦巻状ばねの一端部が前記座支持軸の前記第１の掛合部に掛合するとともにその渦巻状ばねの他端部が前記軸支持部材の前記第２の掛合部に掛合し、前記二個の軸支持部材の他方の前記収容部にロータリダンパが収容されて、そのロータリダンパの回動部が前記座支持軸の前記第１の掛合部に掛合するとともにそのそのロータリダンパの固定部が前記軸支持部材の前記第２の掛合部に掛合していても良く、このようにすれば、渦巻状ばねが一個で済む場合に、二個の軸支持部材の他方の収容部に収容したロータリダンパを容易に座支持軸と軸支持部材とに掛合させることができるので、一種類の座ブラケットと軸支時部材の組で、容易にダンパ内蔵型とダンパなし型との二種類の椅子用座起立機構を構成することができる。
【００１０】
さらに、この発明においては、前記二個の軸支持部材はそれぞれ、その軸支持部材が支持する前記座支持軸を持つ前記座ブラケットに向く面に弾性部材を固設され、前記二個の座ブラケットはそれぞれ、その座ブラケットが固定支持する前記座支持軸の近傍にその座支持軸と並べてストッパピンを固定支持し、そのストッパピンを、前記座が前記着座位置と前記起立位置とに位置する際に前記弾性部材に当接するように前記座の側方に突出させていても良く、このようにすれば、座ブラケットが座支持軸の近傍にその座支持軸と並べて一本または複数本のストッパピンを固定支持し、そのストッパピンを軸支持部材の、座ブラケットに向く面に固設した一個または複数個の弾性部材に当接させて座を着座位置と起立位置とに位置決めするので、座ブラケットおよび軸支持部材をそれぞれコンパクトに構成し得て、椅子の形状デザインの自由度を高めることができる。
【００１１】
さらに、この発明においては、前記二個の座ブラケットは、前記座の左右方向の中心でその座の前後方向に延在する中心線に関し左右対称の形状を有し、前記二個の軸支持部材も、前記中心線に関し左右対称の形状を有するものとしても良く、このようにすれば、椅子を外観的にも構造・強度的にもバランスの良いものとすることができる。
【発明を実施するための最良の形態】
【００１２】
以下に、この発明の実施の形態を実施例によって、図面に基づき詳細に説明する。ここに、図１（ａ），（ｂ）は、この発明の椅子用座起立機構の一実施例を具える椅子を座が起立位置に位置した状態で示す正面図およびその正面図中のＡ−Ａ線に沿う断面図、図２（ａ），（ｂ）は、上記実施例の椅子用座起立機構を具える椅子を座が着座位置に位置した状態で着座者を省略して示す正面図およびその正面図中のＢ−Ｂ線に沿う断面図、図３（ａ），（ｂ）は、上記実施例の椅子用座起立機構の座ブラケットを示す正面図およびその正面図中のＣ−Ｃ線に沿う断面図、そして図４（ａ），（ｂ），（ｃ），（ｄ）は、上記実施例の椅子用座起立機構の軸支持部材を示す正面図、背面図および前記正面図中のＤ−Ｄ線およびＥ−Ｅ線にそれぞれ沿う断面図である。
【００１３】
また、図５（ａ），（ｂ）は、上記実施例の椅子用座起立機構の片側の座ブラケットと軸支持部材との組立構体を座ブラケットが着座位置に位置した状態で示す側面図および軸支持部材のみ断面とした側面図、図６（ａ），（ｂ），（ｃ）は、上記実施例の椅子用座起立機構の片側の軸支持部材に組み込まれる渦巻状板ばねを示す正面図、側面図およびその渦巻状板ばねの代わりに用い得る渦巻状棒ばねを示す側面図、図７は、上記実施例の椅子用座起立機構の片側の軸支持部材に組み込まれた渦巻状板ばねが座ブラケットを起立位置に戻した状態を示す説明図、図８は、上記実施例の椅子用座起立機構の片側の軸支持部材に組み込まれたロータリダンパを示す正面図、図９（ａ），（ｂ）は、上記実施例の椅子用座起立機構の片側の軸支持部材に組み込まれるロータリダンパを示す正面図および側面図、図１０（ａ），（ｂ）は、上記実施例の椅子用座起立機構の片側の軸支持部材に組み込まれた弾性部材を座ブラケットが着座位置に位置する直前の状態および座ブラケットが着座位置に位置した状態でそれぞれ示す背面図、そして図１１（ａ），（ｂ），（ｃ）は、上記実施例の椅子用座起立機構の片側の座ブラケットと軸支持部材との組立構体を座ブラケットが起立位置、着座位置の直前の位置および着座位置にそれぞれ位置した状態で示す正面図である。
【００１４】
図中符号１は、この実施例の椅子用座起立機構を示し、この実施例の椅子用座起立機構１を具える椅子はまた、図１および図２に示すように、背２と、座３と、左右の肘４と、それら背２および左右の肘４を固定支持するとともに座３をこの実施例の椅子用座起立機構１を介して支持する左右の板状の脚５とを具えている。ここで、椅子や座や脚等について左右というときは、当該椅子に前向きに着座した人から見ての左右を意味する。
【００１５】
そしてこの実施例の椅子用座起立機構１は、椅子の座３を図２に示す着座位置と図１に示す起立位置との間で揺動可能に支持するとともに座３をその起立位置へ向けて常時附勢するものであって、座３の左右側部にそれぞれ固定されて各々座支持軸６を固定支持し、その座支持軸６を座３の左右方向へ延在する同一中心軸線Ｆ上で座３の左右側方に突出させる二個の座ブラケット７と、座３の左右側方にそれぞれ位置するように椅子の左右の脚５に固定されて、二個の座ブラケット７に固定された座支持軸６をそれぞれ回動可能に支持する二個の軸支持部材８とを具えている。
【００１６】
ここにおける二個の座ブラケット７は、座３の左右方向の中心でその座３の前後方向に延在する中心線に関し左右対称の形状を有するとともに、図３に座３の左側に位置する座ブラケット７について代表で示すように各々、Ｌ字状に折曲された一枚の板の下部である下板７ａと、その一枚の板の側部である側版７ｂとを有しており、下板７ａには座ブラケット７を座３の下面にねじで固定するための複数のねじ孔７ｃが形成され、側版７ｂは、下板７ａと反対の方向へ突出するように挿通された座支持軸６を例えば溶接により固定支持するとともに、その近傍に同じく下板７ａと反対の方向へ突出するように挿通された後述する二本のストッパピン１３を並べて例えば溶接により固定支持している。ここで、座支持軸６の先端部には、後述する渦巻状ばね１０の内側端部１０ａおよびロータリダンパ１２の回動軸１２ａと掛合するための、第１の掛合部としての十字状スリット６ａが形成されている
【００１７】
また、ここにおける軸支持部材８は、座３の左右方向の中心でその座３の前後方向に延在する中心線に関し左右対称の形状を有するとともに、図４に座３の左側に位置する軸支持部材８について代表で示すように各々、概略長方形の厚板状をなしており、その中央部には座支持軸６の貫通を許容する貫通孔８ａが形成され、その貫通孔８ａの周囲に、脚５に向く正面側では図４（ａ），（ｃ）に示すように、円形の収容部８ｂが形成されるとともに、その収容部８ｂから半径方向外方に延在する、第２の掛合部としての掛合溝８ｃが形成され、反対の背面側では図４（ｂ），（ｄ）に示すように、二カ所の円弧状溝８ｄと、それらの円弧状溝８ｄを仕切る二カ所の台部８ｅとが形成され、各台部８ｅの両端部に掛合溝８ｆが形成されるとともに、各台部８ｅにねじ孔８ｇが形成されている。さらに各軸支持部材８の周辺部には軸支持部材８を脚５の内側面にねじで固定するための複数のねじ孔８ｈが形成されている。
【００１８】
しかしてこの実施例では、図５（ｂ）に示すように、各座ブラケット７に突設された座支持軸６が、固体ベアリングとしてのブッシュ９を介して各軸支持部材８の貫通孔８ａに背面側から挿通されて、座ブラケット７と軸支持部材８との組立構体が左右対称に二個形成されるとともに、座３の左側に位置する軸支持部材８については、その収容部８ｄ内に図５（ａ）に示すように渦巻状ばね１０が収容されてＣリング１１で外れ止めされ、その渦巻状ばね１０は、図６（ａ），（ｂ）に示すように、板ばねから形成されていて内側端部１０ａと外側端部１０ｂとを有しており、収容部８ｄ内でその渦巻状ばね１０の内側端部１０ａは、座支持軸６の十字状スリット６ａの一方の向きの部分内に嵌め合わされて掛合し、その渦巻状ばね１０の外側端部１０ｂは、軸支持部材８の掛合溝８ｃ内に嵌め合わされて掛合している。そしてこの渦巻状ばね１０は、後述の如くストッパピン１３と弾性部材１４，１５とが当接することで座ブラケット７の軸支持部材８に対する回動が制限される前に、あらかじめある程度捻られて、図７に矢印で示すように座ブラケット７ひいては座３を起立位置に回動させるようにプリロードをかけられている。なお、板ばねから形成された渦巻状ばね１０に代えて、図６（ｃ）に示す如き丸棒あるいは角棒のばね材から形成された渦巻状ばね１０Ａを用いても良いが、それらよりも板ばねから形成された渦巻状ばね１０の方が、同じ外径で弾性力をより強くできる上に、捻り上げる際に円弧状部分同士が引っかかったりしないので好ましい。
【００１９】
また、座３の右側に位置する軸支持部材８については、その収容部８ｄ内に図８に示すようにロータリダンパ１２が収容され、そのロータリダンパ１２は、図９（ａ），（ｂ）に示すように、筒状をなすとともにその内側に十字状の掛合片を一体に持つ回動部１２ａと、その回動部１２ａを囲んで略円盤状をなす固定部としての本体とを有し、その本体の外周部分には半径方向へ突出する掛合部１２ｂが形成されており、このロータリダンパ１２の本体内には回動部１２ａと一体の円盤が収容され、その円盤と本体との隙間には粘性体が充填され、その粘性体の粘性で、本体に対する回動部１２ａの回動が制動される。収容部８ｄ内でそのロータリダンパ１２の回動部１２ａの十字状の掛合片は、座支持軸６の十字状スリット６ａ内に嵌め合わされて掛合し、そのロータリダンパ１２の本体の掛合部１２ｂは、軸支持部材８の掛合溝８ｃ内に嵌め合わされて掛合している。
【００２０】
さらにこの実施例では、図１０に座３の左側に位置する軸支持部材８について代表で示すように、二個の軸支持部材８のそれぞれの二カ所の円弧状溝８ｄ内に、二カ所の台部８ｅの両端部に接するとともに掛合溝８ｆに掛合するように例えばゴム状弾性体からなる二種類の弾性部材１４，１５が嵌め込まれて、それぞれ止め板１６および止めねじ１７で軸支持部材８の円弧状溝８ｄ内に固定されており、ここで、周方向に厚い方の弾性部材１４は、座ブラケット７が座３とともに着座位置に回動する際に、図１１（ｂ）に示す、着座位置の直前の位置で図１０（ａ）に示すように二本のストッパピン１３の一方と当接して、図１０（ｂ）に示すように弾性的に潰れ変形しつつ、図１１（ｃ）に示す着座位置に座ブラケット７ひいては座３を位置決めし、周方向に薄い方の弾性部材１４は、座ブラケット７が座３とともに起立位置に回動する際に、着座位置の直前の位置でに二本のストッパピン１３の他方と当接して、弾性的に僅かに潰れ変形しつつ、図１１（ａ）に示す起立位置に座ブラケット７ひいては座３を位置決めする。
【００２１】
従って、この実施例の椅子用座起立機構１によれば、椅子の座３の左右側部にそれぞれ固定された二個の座ブラケット７が同一中心軸線Ｆ上で固定支持する座支持軸６を、椅子の脚５に固定された二個の軸支持部材８が回動可能に支持し、二個の軸支持部材８の一方に設けられた渦巻状ばね１０が座３を起立位置へ向けて常時附勢するように座支持軸６を回動附勢するので、人が着座していないときは椅子の座３を自動的に起立位置に回動させておくことができる。
【００２２】
しかもこの実施例の椅子用座起立機構１によれば、座支持軸６が第１の掛合部としての十字状スリット６ａを有するとともに軸支持部材８が第２の掛合部としての掛合溝８ｃを有していることから、図示例のように二個の軸支持部材８の一方の収容部８ｂに渦巻状ばね１０が収容されて、その渦巻状ばね１０の内側端部１０ａが座支持軸６の十字状スリット６ａと掛合するとともにその渦巻状ばね１０の外側端部１０ｂが軸支持部材８の掛合溝８ｃと掛合している状態では座３を起立位置に回動させる附勢力が不足する場合に、二個の軸支持部材８の他方の収容部８ｂにも同様に渦巻状ばね１０を収容してその渦巻状ばね１０の内側端部１０ａが座支持軸６の十字状スリット６ａと掛合するとともにその渦巻状ばね１０の外側端部１０ｂが軸支持部材８の掛合溝８ｃと掛合するようにするだけで容易に附勢力を増強し得て、より厚くて快適であるものの重い座３を用いる場合でもその座３を確実に起立位置に回動させることができる。なお、このように重い座３を用いるために左右二個の軸支持部材８に渦巻状ばね１０を収容する場合は、着座していた人の離座時の座３の起立位置への急激な回動をその座３の重さで防止できるので、ロータリダンパ１２を設ける必要はなくなる。また、一個の渦巻状ばね１０でも、その内側端部１０ａを座支持軸６の十字状スリット６に掛ける向きを例えば９０度変えてプリロードを増加させることで、ある程度の重さの座３までは起立位置に回動させることができる。
【００２３】
さらにこの実施例の椅子用座起立機構１によれば、二個の軸支持部材８の一方の収容部８ｂ内に渦巻状ばね１０が収容されて、その渦巻状ばね１０の内側端部１０ａが座支持軸６の十字状スリット６ａと掛合するとともにその渦巻状ばね１０の外側端部１０ｂが軸支持部材８の掛合溝８ｃと掛合し、二個の軸支持部材８の他方の収容部８ｂにロータリダンパ１２が収容されて、そのロータリダンパ１２の回動部１２ａが座支持軸６の十字状スリット６ａと掛合するとともにそのそのロータリダンパ１２の本体の掛合部１２ｂが軸支持部材８の掛合溝８ｃと掛合することから、図示例のように渦巻状ばね１０が一個で済む場合に、二個の軸支持部材８の他方の収容部８ｂに収容したロータリダンパ１２を容易に座支持軸６と軸支持部材８とに掛合させることができるので、一種類の座ブラケット７と軸支時部材８との組で、容易にダンパ内蔵型とダンパなし型との二種類の椅子用座起立機構１を構成することができ、ロータリダンパ１２によって、座３の動きを穏やかにしてコンサートホール等での離座時の衝撃音をなくすとともに高級感を醸し出すことができる。
【００２４】
さらにこの実施例の椅子用座起立機構１によれば、二個の軸支持部材８はそれぞれ、その軸支持部材８が支持する座支持軸６を持つ座ブラケット７に向く面に弾性部材１４，１５を固設され、二個の座ブラケット７はそれぞれ、その座ブラケット７が固定支持する座支持軸６の近傍にその座支持軸６と並べて二本のストッパピン１３を固定支持し、それらのストッパピン１３を、座３が着座位置と起立位置とに位置する際に弾性部材１４，１５に当接するように座３の側方に突出させていることから、座ブラケット７が座支持軸６の近傍にその座支持軸６と並べてストッパピン１３を固定支持し、そのストッパピン１３を軸支持部材８の、座ブラケット７に向く面に固設した弾性部材１４，１５に当接させて座３を着座位置と起立位置とに位置決めするので、座ブラケット７および軸支持部材８をそれぞれコンパクトに構成し得て、椅子の形状デザインの自由度を高めることができる。
【００２５】
さらにこの実施例の椅子用座起立機構１によれば、二個の座ブラケット７は、座３の左右方向の中心でその座３の前後方向に延在する中心線に関し左右対称の形状を有し、また二個の軸支持部材８も、前記中心線に関し左右対称の形状を有していることから、椅子を外観的にも構造・強度的にもバランスの良いものとすることができ、しかも左右を入れ替えることで軸支持部材８を縦長に使用できるので、側方から見て幅の狭い脚にも椅子用座起立機構１を適用することができる。
【００２６】
以上、図示例に基づき説明したが、この発明の椅子用座起立機構は上述の例に限定されるものでなく、特許請求の範囲の記載の範囲内で適宜変更し得るものであり、例えば、ロータリダンパは、ガス封入型や摩擦ディスク型等のものでも良い。
【産業上の利用可能性】
【００２７】
かくしてこの発明の椅子用座起立機構によれば、椅子の座の左右側部にそれぞれ固定された二個の座ブラケットが同一中心軸線上で固定支持する座支持軸を、椅子の脚に固定された二個の軸支持部材が回動可能に支持し、二個の軸支持部材の少なくとも一方に設けられた渦巻状ばねが座を起立位置へ向けて常時附勢するように座支持軸を回動附勢するので、人が着座していないときは椅子の座を自動的に起立位置に回動させておくことができる。
【００２８】
しかもこの発明の椅子用座起立機構によれば、座支持軸が第１の掛合部を有するとともに軸支持部材が第２の掛合部を有していることから、二個の軸支持部材の一方の収容部に渦巻状ばねが収容されて、その渦巻状ばねの一端部が座支持軸の第１の掛合部に掛合するとともにその渦巻状ばねの他端部が軸支持部材の第２の掛合部に掛合している状態では座を起立位置に回動させる附勢力が不足する場合に、二個の軸支持部材の他方の収容部にも同様に渦巻状ばねを収容してその渦巻状ばねの一端部が座支持軸の第１の掛合部に掛合するとともにその渦巻状ばねの他端部が軸支持部材の第２の掛合部に掛合するようにすれば、容易に附勢力を増強し得て、より厚くて快適であるものの重い座を用いる場合でもその座を確実に起立位置に回動させることができる。
【図面の簡単な説明】
【００２９】
【図１】（ａ），（ｂ）は、この発明の椅子用座起立機構の一実施例を具える椅子を座が起立位置に位置した状態で示す正面図およびその正面図中のＡ−Ａ線に沿う断面図である。
【図２】（ａ），（ｂ）は、上記実施例の椅子用座起立機構を具える椅子を座が着座位置に位置した状態で着座者を省略して示す正面図およびその正面図中のＢ−Ｂ線に沿う断面図である。
【図３】（ａ），（ｂ）は、上記実施例の椅子用座起立機構の座ブラケットを示す正面図およびその正面図中のＣ−Ｃ線に沿う断面図である。
【図４】（ａ），（ｂ），（ｃ），（ｄ）は、上記実施例の椅子用座起立機構の軸支持部材を示す正面図、背面図および前記正面図中のＤ−Ｄ線およびＥ−Ｅ線にそれぞれ沿う断面図である。
【図５】（ａ），（ｂ）は、上記実施例の椅子用座起立機構の片側の座ブラケットと軸支持部材との組立構体を座ブラケットが着座位置に位置した状態で示す側面図および軸支持部材のみ断面とした側面図である。
【図６】（ａ），（ｂ），（ｃ）は、上記実施例の椅子用座起立機構の片側の軸支持部材に組み込まれる渦巻状板ばねを示す正面図、側面図およびその渦巻状板ばねの代わりに用い得る渦巻状棒ばねを示す側面図である。
【図７】上記実施例の椅子用座起立機構の片側の軸支持部材に組み込まれた渦巻状板ばねが座ブラケットを起立位置に戻した状態を示す説明図である。
【図８】上記実施例の椅子用座起立機構の片側の軸支持部材に組み込まれたロータリダンパを示す正面図である。
【図９】（ａ），（ｂ）は、上記実施例の椅子用座起立機構の片側の軸支持部材に組み込まれるロータリダンパを示す正面図および側面図である。
【図１０】（ａ），（ｂ）は、上記実施例の椅子用座起立機構の片側の軸支持部材に組み込まれた弾性部材を座ブラケットが着座位置に位置する直前の状態および座ブラケットが着座位置に位置した状態でそれぞれ示す背面図である。
【図１１】（ａ），（ｂ），（ｃ）は、上記実施例の椅子用座起立機構の片側の座ブラケットと軸支持部材との組立構体を座ブラケットが起立位置、着座位置の直前の位置および着座位置にそれぞれ位置した状態で示す正面図である。
【符号の説明】
【００３０】
１  椅子用座起立機構
２  背
３  座
４  肘
５  脚
６  座支持軸
６ａ  十字状スリット
７  座ブラケット
７ａ  下板
７ｂ  側板
７ｃ，８ｈ  ねじ孔
８  軸支持部材
８ａ  貫通孔
８ｂ  収容部
８ｃ  掛合溝
８ｄ  円弧状溝
８ｅ  台部
８ｆ  掛合溝
８ｇ  ねじ孔
９  ブッシュ
１０  渦巻状ばね
１０ａ  内側端部
１０ｂ  外側端部
１１  Ｃリング
１２  ロータリダンパ
１２ａ  回動部
１２ｂ  掛合部
１３  ストッパピン
１４，１５  弾性部材
１６  止め板
１７  止めねじ
【図１】
2007229404.tif 000003
【図２】
2007229404.tif 000004
【図３】
2007229404.tif 000005
【図４】
2007229404.tif 000006
【図５】
2007229404.tif 000007
【図６】
2007229404.tif 000008
【図７】
2007229404.tif 000009
【図８】
2007229404.tif 000010
【図９】
2007229404.tif 000011
【図１０】
2007229404.tif 000012
【図１１】
2007229404.tif 000013